(57)【特許請求の範囲】
【請求項１】
第１の無線通信機器と第２の無線通信機器との通信を開始する際に通信相手機器を特定する方法であって、
前記第１の無線通信機器のアドレスを記録媒体に記録すると共に前記第１の無線通信機器を通信待受け状態に遷移させるアドレス記録ステップと、
前記アドレス記録ステップにおいて記録媒体に記録されたアドレスを前記第２の無線通信機器に読み取らせるアドレス読取ステップと、
前記アドレス読取ステップにおいて読み取ったアドレスに基づいて前記第２の無線通信機器が前記第１の無線通信機器に対して通信要求を送信する通信要求送信ステップと、
前記通信要求送信ステップにおいて送信された通信要求に基づいて、前記第１の無線通信機器が前記第２の無線通信機器との間で通信を開始する通信開始ステップと、
を有し、
前記通信開始ステップは、前記アドレス記録ステップにおいて前記第１の無線通信機器が通信待受け状態に遷移してから所定の時間が経過する前に前記通信要求を受信した場合にのみ、前記第２の無線通信機器との通信を開始することを特徴とする無線通信における通信相手機器特定方法。
【請求項２】
前記アドレス記録ステップにおいて、前記第１の無線通信機器は前記記録媒体にパスキーをさらに記録し、
前記アドレス読取ステップにおいて、前記第２の無線通信機器は前記記録媒体に記録されたパスキーを読み出し、
前記通信要求送信ステップでは、前記アドレス読取ステップにおいて読み取ったパスキーを前記通信要求と共に前記第２の無線通信機器から前記第１の無線通信機器に送信し、
前記通信開始ステップでは、前記通信要求送信ステップにおいて送信されたパスキーが前記第１の無線通信機器によって認証された場合に前記第２の無線通信機器との間で通信を開始する、
ことを特徴とする請求項１に記載の無線通信における通信相手機器特定方法。
【請求項３】
前記アドレス記録ステップにおいて、前記第１の無線通信機器は前記記録媒体にアプリケーションモードをさらに記録し、
前記アドレス読取ステップにおいて、前記第２の無線通信機器は前記記録媒体に記録されたアプリケーションモードを読み出し、
前記通信開始ステップにおいて通信を開始する際に、前記第１の無線通信機器と前記第２の無線通信機器は、前記アプリケーションモードに基づいて通信を行うことを特徴とする請求項１に記載の無線通信における通信相手機器特定方法。
【請求項４】
前記記録媒体は、ＳＩＭ又はメモリスティックであることを特徴とする請求項１〜３のいずれか１項に記載の無線通信における通信相手機器特定方法。
【請求項５】
無線通信のプロトコルはブルートゥースであり、前記アドレスはブルートゥースアドレスであることを特徴とする請求項１〜４のいずれか１項に記載の無線通信における通信相手機器特定方法。
【発明の詳細な説明】
【０００１】
【発明の属する技術分野】
本発明は、無線通信によって情報の送受信を行うことが可能な無線通信機器間における通信相手機器特定方法に関する。
【０００２】
【従来の技術】
近年、コンピュータやその周辺機器、家電製品、携帯電話などの間において、無線インターフェースによってデータの送受信を行う技術が開発されている。
【０００３】
【発明が解決しようとする課題】
このような無線通信技術においては、通信の相手機器を特定することが難しく、その特定のための操作が煩雑である。すなわち、通信相手となる無線通信機器を検索した場合に、周囲に無線通信機器が多ければ多いほど、多くのアドレスが返ってくるので、自分が通信を行いたい無線通信機器がどれかを判断することが難しい。また、認証のためにお互いにパスキー（ＰＩＮ）を入力するが、その操作も煩雑である。
【０００４】
そこで、本発明は上記課題を解決し、無線通信において通信相手を容易に特定することができる通信相手機器特定方法を提供することを目的とする。
【０００５】
【課題を解決するための手段】
本発明に係る無線通信における通信相手機器特定方法は、第１の無線通信機器と第２の無線通信機器との通信を開始する際に通信相手機器を特定する方法であって、第１の無線通信機器のアドレスを記録媒体に記録すると共に第１の無線通信機器を通信待受け状態に遷移させるアドレス記録ステップと、アドレス記録ステップにおいて記録媒体に記録されたアドレスを第２の無線通信機器に読み取らせるアドレス読取ステップと、アドレス読取ステップにおいて読み取ったアドレスに基づいて第２の無線通信機器が第１の無線通信機器に対して通信要求を送信する通信要求送信ステップと、通信要求送信ステップにおいて送信された通信要求に基づいて、第１の無線通信機器が第２の無線通信機器との間で通信を開始する通信開始ステップと、を有し、通信開始ステップは、アドレス記録ステップにおいて第１の無線通信機器が通信待受け状態に遷移してから所定の時間が経過する前に通信要求を受信した場合にのみ、第２の無線通信機器との通信を開始することを特徴とする。
【０００６】
このように記録媒体に第１の無線通信機器のアドレスを記録し、その記録媒体を第２の無線通信機器に読み取らせることによって、第２の無線通信機器は、第１の無線通信機器のアドレスを取得することができるので、ユーザによる煩雑な操作をすることなく、第２の無線通信機器は通信相手となる第１の無線通信機器を容易に特定することができる。また、記録媒体によってアドレスを知らせるので、周囲にいる第三者に知られることなく第１の無線通信機器のアドレスを特定することができ、セキュリティを向上させることができる。
【０００８】
また、第１の無線通信機器は所定の時間だけ通信待受け状態とし、その後は通信を受け付けないこととすることで、さらに、セキュリティを向上させることができる。
【０００９】
上記通信相手機器特定方法は、アドレス記録ステップにおいて、第１の無線通信機器は記録媒体にパスキーをさらに記録し、アドレス読取ステップにおいて、第２の無線通信機器は記録媒体に記録されたパスキーを読み出し、通信要求送信ステップでは前記アドレス読取ステップにおいて読み取ったパスキーを前記通信要求と共に前記第２の無線通信機器から前記第１の無線通信機器に送信し、通信開始ステップでは、通信要求送信ステップにおいて送信されたパスキーが第１の無線通信機器によって認証された場合に第２の無線通信機器との間で通信を開始する、ことを特徴としても良い。
【００１０】
このように記録媒体に第１の無線通信機器のパスキーを記録し、その記録媒体を第２の無線通信機器に読み取らせることによって、第２の無線通信機器は、第１の無線通信機器のパスキーを取得することができる。そして、第２の無線通信機器から第１の無線通信機器にパスキーを送信することによって、ユーザによる操作の回数を減らして、容易に第１と第２の無線通信機器の間で認証を行うことができる。また、記録媒体によってパスキーを知らせるので、周囲にいる第三者に知られることなく第１の無線通信機器のパスキーを取得することができ、セキュリティを向上させることができる。ここで、第１の無線通信機器から記録媒体にパスキーを記録させるためにパスキーを入力する方法としては、ユーザが操作によってパスキーを入力することとしても良いし、また、第１の無線通信機器にあらかじめパスキーを格納しておき、格納された情報を記録媒体に記録することとしても良い。
【００１１】
上記通信相手機器特定方法は、アドレス記録ステップにおいて、第１の無線通信機器は記録媒体にアプリケーションモードをさらに記録し、アドレス読取ステップにおいて、第２の無線通信機器は記録媒体に記録されたアプリケーションモードを読み出し、通信開始ステップにおいて通信を開始する際に、第１の無線通信機器と第２の無線通信機器は、アプリケーションモードに基づいて通信を行うことを特徴としても良い。
【００１２】
このように記録媒体に第１の無線通信機器のアプリケーションモードを記録し、その記録媒体を第２の無線通信機器に読み取らせることによって、第２の無線通信機器は、第１の無線通信機器のアプリケーションモードを取得することができるので、第１と第２の無線通信機器の間でアプリケーションモードを合わせるためのシーケンスを省略して円滑に通信を開始させることができる。
【００１３】
上記通信相手機器特定方法において、記録媒体は、ＳＩＭ又はメモリスティックであることが好ましい。
【００１４】
また、上記通信相手機器特定方法において、無線通信のプロトコルはブルートゥースであり、アドレスはブルートゥースアドレスであることが好ましい。
【００１５】
【発明の実施の形態】
以下、図面と共に本発明に係る通信相手機器特定方法の好適な実施形態について詳細に説明する。なお、図面の説明においては同一要素には同一符号を付し、重複する説明を省略する。
【００１６】
図１は、実施形態に係る通信相手機器特定方法が適用される環境を示す図である。通信相手機器特定方法は、携帯電話１とパソコン２とがブルートゥースなどによる無線通信が可能な領域内に存在する状態において実現される。図１では、パソコン２と携帯電話１を１台ずつしか描いていないが、無線通信可能な領域に複数の無線通信機器が存在しても良い。
【００１７】
次に、第１実施形態に係る通信相手機器特定方法について図２を参照しながら説明する。ここでは、パソコン２から携帯電話１に対して無線通信を開始する例について説明する。このような例としては、電話機能を有していないパソコン２がインターネットに接続するために携帯電話１を通じてダイアルアップ接続するような場合が考えられる。
【００１８】
最初は、携帯電話１とパソコン２は共に待機状態となっている（Ｓ１０）。本実施形態では、携帯電話１とパソコン２は最初に待機状態とされているが、最初に携帯電話１とパソコン２の電源がＯＦＦにされていても良い。ユーザは、無線通信を開始する際に、携帯電話１に記録媒体であるＳＩＭ（Subscriber Identity Module）を挿入する。携帯電話１は、携帯電話１にＳＩＭが挿入されると、自身のブルートゥースアドレスをＳＩＭに記録する（Ｓ１２）。そして、携帯電話１は、ブルートゥースアドレスをＳＩＭに記録した後に待機状態から通信待受け状態に遷移する（Ｓ１４）。なお、最初に携帯電話１の電源がＯＦＦにされている場合にも、電源をＯＮにして通信待受け状態に遷移する。
【００１９】
次に、ユーザは携帯電話１からＳＩＭを取り出し、ブルートゥースアドレスが記録されたＳＩＭを通信相手機器であるパソコン２に挿入する。パソコン２は、ＳＩＭが挿入されると、ＳＩＭに記録されているブルートゥースアドレスを読み出す（Ｓ１６）。そして、パソコン２は、読み出したブルートゥースアドレスに基づいて、通信相手機器である携帯電話１に対して通信要求を送信する（Ｓ１８）。
【００２０】
携帯電話１は、パソコン２から送信された通信要求を受信する（Ｓ２０）と、通信要求に対する応答をパソコン２に対して送信する（Ｓ２２）。そして、パソコン２が通信要求応答を受信して（Ｓ２４）、携帯電話１とパソコン２との間で通信が開始される。
【００２１】
この後、パソコン２がダイアルアップ接続をする場合には、電話番号のデータを携帯電話１に送信して携帯電話１にダイアルアップ接続させ、インターネット接続後に、パソコン２は携帯電話１を通じてデータを送受信する通信を行うことになる。
【００２２】
次に、第１実施形態に係る通信相手機器特定方法において、所定の時間が経過した後にパソコン２から携帯電話１へ通信要求が送信された場合の動作について、図３を参照しながら説明する。
【００２３】
携帯電話１がＳＩＭにブルートゥースアドレスを記録し（Ｓ１２）、ブルートゥースアドレスが記録されたＳＩＭをパソコン２が読み出す（Ｓ１６）までのフローは、図２に示すフローと同じである。携帯電話１は、ＳＩＭにブルートゥースアドレスを記録した後に待機状態から通信待受け状態に遷移する（Ｓ１４）が、その際にタイマを設定するなどして、通信待受け状態に遷移した後の経過時間を測定する。そして、パソコン２からの通信要求を受信しないで、通信待受け状態が所定の時間以上継続した場合には、携帯電話１は通信待受け状態から待機状態に遷移する（Ｓ１７）。携帯電話１の状態が待機状態に遷移した後に、パソコン２から通信要求が送信された場合（Ｓ１８）には、携帯電話１は通信要求に対して応答せず（Ｓ２１）、通信を開始することができない。
【００２４】
第１実施形態に係る通信相手機器特定方法は、ＳＩＭを介して携帯電話１のブルートゥースアドレスをパソコン２に知らせることにより、パソコン２はＳＩＭから読み出したブルートゥースアドレスに基づいて通信相手機器を特定し、通信相手機器である携帯電話１に通信要求を送信できる。これにより、無線通信が可能な領域内に複数の無線通信機器が存在する場合にも、煩雑な操作をしないで円滑に通信を開始することができる。
【００２５】
また、ＳＩＭにブルートゥースアドレスを記録して、パソコン２に読み取らせるので、周りにいる第三者にブルートゥースアドレスを知られるおそれがなく、セキュリティを向上させることができる。
【００２６】
また、携帯電話１はＳＩＭにアドレスを記録した後に通信待受け状態に遷移するので、通信要求を受信することが予想されない（ＳＩＭが挿入されない）ときには、携帯電話１を待機状態とすることで省電力化を図ることができる。
【００２７】
また、携帯電話１が通信待受け状態である時間を、ＳＩＭにアドレスを記録した後の所定時間に限定し、当該所定時間経過後に通信待受け状態から待機状態に遷移させることによって、例えば、不正にＳＩＭを取得した第三者が後から携帯電話１にアクセスできないようにすることができ、セキュリティの向上を図ることができる。
【００２８】
次に、本発明の第２実施形態に係る通信相手機器特定方法について説明する。第２実施形態に係る通信相手機器特定方法は、第１実施形態に係る通信相手機器特定方法と基本的には同じであるが、第２実施形態に係る通信相手機器特定方法は、ブルートゥースアドレスに加えてパスキーもＳＩＭに記録する点が異なっている。ここで、「パスキー」とは、真正な通信相手かどうかを確認するための認証番号である。図４を参照しながら、第２実施形態に係る通信相手機器特定方法の動作について説明する。
【００２９】
最初は、携帯電話１とパソコン２は共に待機状態となっている（Ｓ３０）。ユーザは、無線通信を開始する際に携帯電話１にＳＩＭを挿入する。携帯電話１にＳＩＭが挿入されると、携帯電話１はユーザにパスキーを入力させる（Ｓ３２）。具体的には、携帯電話１に認証番号の入力画面を表示するなどしてユーザにパスキーの入力を促す。そして、パスキーが入力されると、携帯電話１は入力されたパスキーと共に自身のブルートゥースアドレスをＳＩＭに記録する（Ｓ３４）。なお、本実施形態では、パスキーをユーザに入力させることとしているが、パスキーをあらかじめ携帯電話１に格納させておき、携帯電話１はそのパスキーを読み出してＳＩＭに書き込むこととしてもよく、このような構成にすればユーザがパスキーを入力するステップを省略することができる。次に、携帯電話１は、ＳＩＭにパスキー及びブルートゥースアドレスを記録した後に、待機状態から通信待受け状態に遷移する（Ｓ３６）。
【００３０】
次に、ユーザは携帯電話１からＳＩＭを取り出し、パスキー及びブルートゥースアドレスが記録されたＳＩＭをパソコン２に挿入する。ＳＩＭが挿入されると、パソコン２はＳＩＭに記録されているパスキー及びブルートゥースアドレスを読み出す（Ｓ３８）。そして、パソコン２は、ＳＩＭから読み出したブルートゥースアドレスに基づいて、通信相手機器である携帯電話１に対して通信要求を送信する（Ｓ４０）。この際に、パソコン２は、ＳＩＭから読み出したパスキーを通信要求と共に携帯電話１に送信する。なお、パソコン２はパスキーを送信した後、又は所定時間が経過した後にパスキーを削除することとしても良い。これにより、ＳＩＭから読み取ったパスキーを繰り返し利用することを防止して、セキュリティを向上させることができる。
【００３１】
携帯電話１は、パソコン２から送信された通信要求及びパスキーを受信する（Ｓ４２）と、受信したパスキーの認証を行う。パスキーが認証される（Ｓ４４）と、携帯電話１は通信要求に対する応答をパソコン２に送信する（Ｓ４６）。そして、パソコン２が通信要求応答を受信して（Ｓ４８）、携帯電話１とパソコン２との間で通信が開始される。
【００３２】
第２実施形態に係る通信相手機器特定方法は、第１実施形態に係る通信相手機器特定方法と同様に、煩雑な操作を必要としないで通信相手機器を特定できるという効果がある。
【００３３】
また、第２実施形態に係る通信相手機器特定方法は、パスキーの認証を行っており、ブルートゥースアドレスだけでは通信を開始することができないので、セキュリティを向上させることができる。さらに、パスキーをＳＩＭに記録してパソコン２によって読み取らせているので、ユーザがパソコン２にパスキーを入力する必要がなく、パソコン２の周りにいる第三者にパスキーを知られるおそれがない。
【００３４】
次に、本発明の第３実施形態に係る通信相手機器特定方法について説明する。第３実施形態に係る通信相手機器特定方法は、第２実施形態に係る通信相手機器特定方法と基本的には同じであるが、第３実施形態に係る通信相手機器特定方法は、パスキー及びブルートゥースアドレスに加えてアプリケーションモードもＳＩＭに記録する点が異なっている。図５を参照しながら、第３実施形態に係る通信相手機器特定方法の動作について説明する。
【００３５】
最初は、携帯電話１とパソコン２は共に、待機状態となっている（Ｓ５０）。ユーザは、無線通信を開始する際に携帯電話１にＳＩＭを挿入する。携帯電話１にＳＩＭが挿入されると、携帯電話１はユーザにパスキーを入力させる（Ｓ５２）。そして、パスキーが入力されると、携帯電話１は入力されたパスキーと共に自身のブルートゥースアドレス及びアプリケーションモードをＳＩＭに記録する（Ｓ５４）。ここで、アプリケーションモードとは、通信中に動作させるアプリケーションを特定するための情報であり、例えば、ダイアルアップ接続用のアプリケーションであるという情報が記録される。次に、携帯電話１は、パスキー、ブルートゥースアドレス、及びアプリケーションモードを記録した後に、待機状態から通信待受け状態に遷移する（Ｓ５６）。
【００３６】
次に、ユーザは携帯電話１からＳＩＭを取り出し、パスキー、ブルートゥースアドレス、及びアプリケーションモードが記録されたＳＩＭをパソコン２に挿入する。パソコン２は、ＳＩＭが挿入されると、ＳＩＭに記録されているパスキー、ブルートゥースアドレス、及びアプリケーションモードを読み出す（Ｓ５８）。そして、パソコン２は、読み出したブルートゥースアドレスに基づいて、通信相手機器である携帯電話１に対して通信要求を送信する（Ｓ６０）。この際に、パソコン２は、読み出したパスキーを通信要求と共に携帯電話１に送信する。
【００３７】
携帯電話１は、パソコン２から送信された通信要求及びパスキーを受信する（Ｓ６２）と、受信したパスキーの認証を行う（Ｓ６４）。パスキーが認証されると、携帯電話１は通信要求に対する応答をパソコン２に送信する（Ｓ６６）。そして、パソコン２が通信要求応答を受信して（Ｓ６８）、携帯電話１とパソコン２との間で通信が開始される。
【００３８】
通信が開始されると、携帯電話１はＳＩＭに記録したアプリケーションモードに基づいてアプリケーションを起動し（Ｓ７０）、パソコン２はＳＩＭから読み出したアプリケーションモードに基づいてアプリケーションを起動する（Ｓ７２）。
【００３９】
第３実施形態に係る通信相手機器特定方法は、第２実施形態に係る通信相手機器特定方法と同様に、煩雑な操作を必要としないで通信相手機器を特定でき、さらに、パスキーが人目に曝されないのでセキュリティを向上できるという効果がある。
【００４０】
さらに、第３実施形態に係る通信相手機器特定方法は、ＳＩＭにアプリケーションモードを記録してパソコン２に読み取らせているので、通信開始の際に、携帯電話１とパソコン２との間でアプリケーションモードを合わせるためのシーケンスを省略することができ、円滑に通信を開始し、アプリケーションによる処理を行うことができる。
【００４１】
以上、本発明の通信相手機器特定方法の実施形態について説明したが、本発明に係る通信相手機器特定方法は上記実施形態に限定されるものではない。
【００４２】
上記実施形態では、パソコン２から携帯電話１に無線通信の通信要求を送信する場合を例として説明しているが、通信要求を送信する機器は携帯電話１であっても良い。例えば、パソコン２に記録されている電話番号データを携帯電話１に送信する場合などは、パソコン２と携帯電話１のどちらが無線通信を開始することとしても良い。このような場合には、パソコン２のブルートゥースアドレスをＳＩＭに記録し、携帯電話１がＳＩＭに記録されたブルートゥースアドレスを読み取って、読み取ったブルートゥースアドレスに基づいてパソコン２に通信要求を送信することとしても良い。
【００４３】
また、本発明は、パソコン２と携帯電話１との無線通信に限定されるものではなく、例えば、音楽データを記録した無線通信機器（携帯電話１など）と、イヤホンとの間の通信にも用いることができる。
【００４４】
上記実施形態では、ブルートゥースアドレス、パスキー、及びアプリケーションモードの情報をＳＩＭに記録してパソコン２に読み取らせているが、これらの情報のほかにも、リンクキーや機器の名称などの情報をＳＩＭに読み取らせることとしても良い。
【００４５】
上記実施形態では、ブルートゥースアドレスやパスキーなどを記録する記録媒体としてＳＩＭを例に挙げて説明しているが、例えばメモリスティックなどの他の記録媒体を用いることとしても良い。
【００４６】
また、上記実施形態では、近距離無線のプロトコルとしてブルートゥースと例に挙げて説明しているが、ＩｒＤＡなどの無線通信にも本発明の方法を適用することができる。
【００４７】
【発明の効果】
本発明によれば、記録媒体に第１の無線通信機器のアドレスを記録し、その記録媒体を第２の無線通信機器に読み取らせることによって、第２の無線通信機器は、第１の無線通信機器のアドレスを取得することができるので、ユーザによる煩雑な操作をすることなく、第２の無線通信機器は通信相手となる第１の無線通信機器を容易に特定することができる。
【００４８】
また、記録媒体によってアドレスやパスキーを知らせるので、周囲に知られることなく第１の無線通信機器のアドレスを特定し、またパスキーの認証をすることができ、セキュリティを向上させることができる。
【図面の簡単な説明】
【図１】実施形態に係る通信相手機器特定方法が適用される環境を示す図である。
【図２】第１実施形態に係る通信相手機器特定方法の動作を示すフローチャートである。
【図３】第１実施形態に係る通信相手機器特定方法の動作を示すフローチャートである。
【図４】第２実施形態に係る通信相手機器特定方法の動作を示すフローチャートである。
【図５】第３実施形態に係る通信相手機器特定方法の動作を示すフローチャートである。
【符号の説明】
１…携帯電話、２…パソコン。
【図１】
0004057842.tif 000002
【図２】
0004057842.tif 000003
【図３】
0004057842.tif 000004
【図４】
0004057842.tif 000005
【図５】
0004057842.tif 000006